(57)【要約】【課題】還元剤タンクに低濃度の還元剤や水が誤って補給された場合を検出する還元剤の異常検出方法を提供する。【解決手段】排気管９途中の選択還元型触媒１０に還元剤タンク１４から還元剤１７を添加してＮＯｘを還元浄化する排気浄化装置に対し、還元剤タンク１４内に補給された還元剤１７の異常を検出するための還元剤の異常検出方法であって、ＮＯｘ浄化率の低下を検出した際にＮＨ３のスリップの有無を判断し、ＮＨ３のスリップがあった場合には選択還元型触媒１０に劣化があると判定し、ＮＨ３のスリップがない場合には還元剤タンク１４内に低濃度の還元剤１７または／及び還元剤以外のものが補給されたと判定する。【選択図】図１
2010261327.tif 000002
【特許請求の範囲】
【請求項１】
排気管途中の選択還元型触媒に還元剤タンクから還元剤を添加してＮＯｘを還元浄化する排気浄化装置に対し、前記還元剤タンク内に補給された還元剤の異常を検出するための還元剤の異常検出方法であって、ＮＯｘ浄化率の低下を検出した際にＮＨ３のスリップの有無を判断し、ＮＨ３のスリップがあった場合には選択還元型触媒に劣化があると判定し、ＮＨ３のスリップがない場合には還元剤タンク内に低濃度の還元剤または／及び還元剤以外のものが補給されたと判定することを特徴とする還元剤の異常検出方法。
【請求項２】
運転履歴でＮＨ３のスリップを記録し、ＮＯｘ浄化率の低下を検出した際に運転履歴のＮＨ３のスリップの有無を判断することを特徴とする請求項１に記載の還元剤の異常検出方法。
【請求項３】
ＮＯｘ浄化率が低下した際に選択還元型触媒を昇温し、その後ＮＨ３のスリップの有無を判断することを特徴とする請求項１に記載の還元剤の異常検出方法。
【請求項４】
ＮＨ３のスリップを判断した後、更に２回目のＮＯｘ浄化率の低下を検出することを特徴とする請求項２または３に記載の還元剤の異常検出方法。
【発明の詳細な説明】
【技術分野】
【０００１】
本発明は、排気浄化装置に用いる還元剤の異常検出方法に関するものである。
【背景技術】
【０００２】
従来より、ディーゼルエンジンにおいては、排出ガスが流通する排気管の途中に、酸素共存下でも選択的にＮＯｘを還元剤と反応させる性質を備えた選択還元型触媒を装備し、該選択還元型触媒の上流側に必要量の還元剤を還元剤タンクから添加して該還元剤を選択還元型触媒上で排出ガス中のＮＯｘ（窒素酸化物）と還元反応させ、これによりＮＯｘの排出濃度を低減し得るようにしたものがある。
【０００３】
他方、プラント等における工業的な排煙脱硝処理の分野では、還元剤にアンモニア（ＮＨ3）を用いてＮＯｘを還元浄化する手法の有効性が既に広く知られているところであるが、自動車の場合には、アンモニアそのものを搭載して走行することに関し安全確保が困難であるため、近年においては、毒性のない尿素水を還元剤として使用している。
【０００４】
尚、本発明に関連する先行技術文献情報としては、例えば、下記の特許文献１等が既に存在している。
【先行技術文献】
【特許文献】
【０００５】
【特許文献１】特開２００６−３７７７０号公報
【発明の概要】
【発明が解決しようとする課題】
【０００６】
しかしながら、斯かる排気浄化装置においては、還元剤を貯留する還元剤タンクに低濃度の還元剤や水等の別物質が誤って補給された場合には、ＮＯｘ浄化率が低下する一方で低濃度の還元剤や水等の別物質が誤って補給された旨を運転者等に容易に知らせることができないという問題があった。
【０００７】
具体的には選択還元型触媒に劣化がある場合にはＮＯｘ浄化率が低下するため、低濃度の還元剤や水の別物質が誤って補給された場合と、選択還元型触媒に劣化がある場合とを区別することができないという問題があった。
【０００８】
また還元剤タンクに還元剤を少しずつ補給する場合に、誤って低濃度の還元剤や水の別物質を少しずつ補給した際には、還元剤タンクの還元剤が徐々に希釈されるため、この状態を容易に検出することができないという問題があった。
【０００９】
本発明は上述の実情に鑑みてなしたもので、還元剤タンクに低濃度の還元剤や、還元剤以外のものが誤って補給された場合を容易且つ好適に検出する還元剤の異常検出方法を提供することを目的としている。
【課題を解決するための手段】
【００１０】
本発明は、排気管途中の選択還元型触媒に還元剤タンクから還元剤を添加してＮＯｘを還元浄化する排気浄化装置に対し、前記還元剤タンク内に補給された還元剤の異常を検出するための還元剤の異常検出方法であって、ＮＯｘ浄化率の低下を検出した際にＮＨ３のスリップの有無を判断し、ＮＨ３のスリップがあった場合には選択還元型触媒に劣化があると判定し、ＮＨ３のスリップがない場合には還元剤タンク内に低濃度の還元剤または／及び還元剤以外のものが補給されたと判定することを特徴とするものである。
【００１１】
本発明において、運転履歴でＮＨ３のスリップを記録し、ＮＯｘ浄化率の低下を検出した際に運転履歴のＮＨ３のスリップの有無を判断することが好ましい。
【００１２】
本発明において、ＮＯｘ浄化率が低下した際に選択還元型触媒を昇温し、その後ＮＨ３のスリップの有無を判断することが好ましい。
【００１３】
本発明において、ＮＨ３のスリップを判断した後、更に２回目のＮＯｘ浄化率の低下を検出することが好ましい。
【発明の効果】
【００１４】
本発明の還元剤の異常検出方法によれば、還元剤タンクに低濃度の還元剤や還元剤以外のものが誤って補給された場合には、ＮＯｘ浄化率の低下を生じる一方でＮＨ３のスリップを劣化触媒と同程度には生じないので、還元剤タンク内に低濃度の還元剤または／及び還元剤以外のものが誤って補給されたと判断し、運転者等に知らせることができる。また選択還元型触媒に劣化がある場合には、ＮＯｘ浄化率の低下を生じると共にＮＨ３のスリップを生じるので、選択還元型触媒に劣化があると判断し、運転者等に知らせることができる。またＮＯｘ浄化率の低下とＮＨ３のスリップを判断要件として、低濃度の還元剤または／及び還元剤以外のものが誤って補給された場合と、選択還元型触媒に劣化がある場合とを明確に区別するので、還元剤タンクに低濃度の還元剤または／及び還元剤以外のものが誤って補給された場合を容易且つ好適に検出することができる。更に還元剤タンクの還元剤が徐々に希釈されるように、還元剤タンクに、誤って低濃度の還元剤または／及び還元剤以外のものを少しずつ補給した場合であっても、ＮＯｘ浄化率の低下とＮＨ３のスリップを判断要件とするので、還元剤タンク内に低濃度の還元剤または／及び還元剤以外のものが誤って補給された場合を容易に検出することができるという種々の優れた効果を奏し得る。
【図面の簡単な説明】
【００１５】
【図１】本発明を実施する形態例を示す概略図である。
【図２】本発明の実施の形態の一例で処理を示すフロー図である。
【図３】本発明の実施の形態の他例で処理を示すフロー図である。
【図４】時間経過に対し、ＮＯｘ浄化率の変化と、選択還元型触媒の温度と、ＮＨ３のスリップとを示すグラフである。
【図５】選択還元型触媒におけるＮＨ３吸着許容量を示すグラフである。
【発明を実施するための形態】
【００１６】
以下本発明の実施の形態の一例を図面を参照しつつ説明する。
【００１７】
図１、図２、図４、図５は本発明を実施する形態の一例であって排気浄化装置及び還元剤の異常検出方法を示すものである。図１中における符号１はディーゼル機関であるエンジンを示し、ここに図示しているエンジン１では、ターボチャージャ２が備えられており、エアクリーナ３から導いた空気４が吸気管５を介し前記ターボチャージャ２のコンプレッサ２ａへと送られ、該コンプレッサ２ａで加圧された空気４が更にインタークーラ６へと送られて冷却され、該インタークーラ６から図示しないインテークマニホールドへと空気４が導かれてエンジン１の各シリンダに導入されるようにしてある。
【００１８】
また、このエンジン１の各シリンダから排出された排出ガス７がエキゾーストマニホールド８を介し前記ターボチャージャ２のタービン２ｂへと送られ、該タービン２ｂを駆動した排出ガス７が排気管９を介し車外へ排出されるようにしてある。
【００１９】
そして、排出ガス７が流通する排気管９の途中には、選択還元型触媒１０がケーシング１１により抱持されて装備されており、この選択還元型触媒１０は、フロースルー方式のハニカム構造物として形成され、酸素共存下でも選択的にＮＯｘをアンモニア（ＮＨ３）と反応させ得るような性質を有している。
【００２０】
更に、ケーシング１１の上流側に噴射ノズル１２付き尿素水噴射弁１３が設置され、該尿素水噴射弁１３と所要場所に設けた尿素水タンク（還元剤タンク）１４との間が尿素水供給ライン１５により接続されており、該尿素水供給ライン１５の途中に装備した供給ポンプ１６の駆動により尿素水タンク１４内の尿素水（還元剤）１７を尿素水噴射弁１３を介し選択還元型触媒１０の上流側に添加し得るようになっている。また尿素水タンク１４には、内部の尿素水１７の液面レベルを検出する液面センサ等の液面検出手段１８が備えられている。ここで液面検出手段１８は、フロート、超音波等を用いても良く、内部の尿素水１７の液面レベルを検出し得るならば他の構成でも良い。また尿素水タンク１４の構成は、噴射ノズル１２、尿素水噴射弁１３、尿素水供給ライン１５、供給ポンプ１６の構成に限定されるものではなく、尿素水１７を選択還元型触媒１０の上流側に添加し得るならば他の構成でも良い。
【００２１】
また、前記エンジン１には、その機関回転数を検出する回転センサ１９が装備されており、該回転センサ１９からの回転数信号１９ａと、アクセルセンサ２０（アクセルペダルの踏み込み角度を検出するセンサ）からの負荷信号２０ａとがエンジン制御コンピュータを成す（ＥＣＵ：Electronic Control Unit）制御装置２１に入力されるようになっている。
【００２２】
他方、この制御装置２１においては、回転センサ１９からの回転数信号１９ａと、アクセルセンサ２０からの負荷信号２０ａとから判断される現在の運転状態に基づきＮＯｘの発生量が推定され、その推定されたＮＯｘの発生量に見合う尿素水１７の添加量が算出されて必要量の尿素水１７の添加が実行されるようになっており、より具体的には、前記尿素水噴射弁１３に対し開弁指令信号１３ａが出力され、また、供給ポンプ１６に対しては駆動指令信号（図示せず）が出力されるようになっていて、前記尿素水噴射弁１３の開弁作動により尿素水１７の添加量が適切に制御され、その添加時に必要な噴射圧力が前記供給ポンプ１６の駆動により適宜に得られるようになっている。更に制御装置２１においては、液面検出手段１８からの液面信号１８ａにより尿素水タンク１４内の尿素水１７の量を推定し、尿素水１７の残量や尿素水１７の補給時期を判定するようにしている。
【００２３】
更にまた、選択還元型触媒１０を抱持しているケーシング１１の入口側と出口側には、ＮＯｘ濃度を検出するＮＯｘセンサ２２，２３と、排気温度を検出する温度センサ２４，２５とが夫々配設されており、これらの検出信号２２ａ，２３ａ及び検出信号２４ａ，２５ａも前記制御装置２１に入力されるようになっており、これらの検出信号２２ａ，２３ａ及び検出信号２４ａ，２５ａに基づいてＮＯｘ浄化率を検出するようにしている。また同時に検出信号２２ａ，２３ａに基づいてＮＨ３の濃度を検出するようにしている。ここでＮＯｘ浄化率は、検出信号２２ａ，２３ａ及び検出信号２４ａ，２５ａのいずれかに基づいて検出しても良いし、他の信号を用いても良く、実測の測定ＮＯｘ浄化率を検出し得るならば手段、方法は特に制限されるものではない。またＮＨ３の濃度は、検出信号２２ａ，２３ａの他に検出信号２４ａ，２５ａを用いて検出しても良いし、他の信号を用いても良く、ＮＨ３の濃度を検出し得るならば手段、方法は特に制限されるものではない。
【００２４】
また制御装置２１には、所定の条件で表示信号２６ａにより異常を示す表示モニタや表示ランプ等の表示手段２６と、他の条件で表示信号２７ａにより異常を示す表示モニタや表示ランプ等の表示手段２７とが接続されている。更に制御装置２１には図２のフローに基づいて処理する関数が予め内蔵されている。
【００２５】
以下本発明を実施する形態の一例の作用を説明する。
【００２６】
排気浄化装置により排出ガス７中のＮＯｘの排出濃度を低減する際には、選択還元型触媒１０の上流側に尿素水１７を尿素水タンク１４から添加し、尿素水１７を選択還元型触媒１０上で排出ガス中のＮＯｘと還元反応させ、ＮＯｘの排出濃度を低減する。その後、尿素水１７の添加により尿素水タンク１４内の尿素水１７が減少した際には、尿素水タンク１４に尿素水１７が適宜補給される。
【００２７】
また尿素水タンク１４に、低濃度の尿素水１７や、水（尿素水以外のもの）が誤って補給された場合と、選択還元型触媒１０の劣化の場合とを判断する際には、予め運転履歴として制御部に検出信号２２ａ，２３ａ等に基づきＮＨ３のスリップの有無を記録する（ステップＳ１１）。この時ＮＨ３のスリップは、ＮＨ３の濃度が一定値以上になったか否かで判断し、濃度が一定値（閾値）以上の場合には、選択還元型触媒１０より下流側へＮＨ３のスリップがあったと判断して記録し、濃度が一定値（閾値）未満の場合には、選択還元型触媒１０より下流側へＮＨ３のスリップがないと判断する。ここで運転履歴では、車両が所定時間以上の低速時または減速時の場合のように、エンジンに燃料を供給ぜす且つ尿素水を添加しない条件下で、少なくともＮＯｘが出ていない状態でモニタリングしている。また図４では運転履歴でのＮＨ３スリップの検出を通常のＮＨ３スリップとして示している。
【００２８】
また同時に検出信号２２ａ，２３ａや検出信号２４ａ，２５ａに基づきＮＯｘ浄化率低下を検出する（ステップＳ１２）。この時ＮＯｘ浄化率の低下は、予め記録した基準ＮＯｘ浄化率（閾値）とを比較し、ＮＯｘ浄化率が基準ＮＯｘ浄化率よりも低いか否かでＮＯｘ浄化率の低下を検出し、ＮＯｘ浄化率が基準ＮＯｘ浄化率よりも低い場合にはＮＯｘ浄化率の低下があると判定し、ＮＯｘ浄化率が基準ＮＯｘ浄化率よりも低くない場合にはＮＯｘ浄化率の低下がないと判定する。ここで図４ではＮＯｘ浄化率の低下を１回目の低下検出として示している。
【００２９】
ＮＯｘ浄化率の低下を検出した（ステップＳ１２）後には、運転履歴でＮＨ３のスリップの有無を判断する（ステップＳ１３）。ここでＮＨ３のスリップは、ＮＯｘ浄化率の低下の後に発生したものでも良く、この場合、ＮＯｘ浄化率の低下の後に一定時間ＮＨ３のスリップを判定する時間を設けても良い。
【００３０】
運転履歴でＮＨ３のスリップがあった場合（ステップＳ１３のＹＥＳ）には、選択還元型触媒１０の劣化であると判定する（ステップＳ１４）。そして選択還元型触媒１０の劣化と判定した後、制御装置２１は表示手段２７に表示信号２７ａを送り、表示手段２７で選択還元型触媒１０に劣化がある警告を発して運転者等に知らせる（ステップＳ１５）。
【００３１】
一方、運転履歴でＮＨ３のスリップがない場合（ステップＳ１３のＮＯ）には、尿素水（還元剤）の異常であるとして、尿素水タンク１４内へ低濃度の尿素水１７または／及び水等の尿素水以外のものが誤って補給されたと判定する（ステップＳ１６）。ここで低濃度の尿素水１７は、尿素水タンク１４内の通常の尿素水１７の濃度を低下させる濃度であれば特定の濃度に制限されるものではなく、また尿素水以外のものは、尿素水タンク１４内の尿素水１７の濃度を低下させるものであれば種類も特に制限されるものではない。
【００３２】
そして低濃度の尿素水１７または／及び水等の尿素水以外のものが誤って補給されたと判断した後、制御装置２１は表示手段２６に表示信号２６ａを送り、表示手段２６で尿素水タンク１４に低濃度の尿素水１７等が誤って補給された旨の警告を発して運転者等に知らせる（ステップＳ１７）。
【００３３】
ここで選択還元型触媒１０に劣化を生じている場合には、図５に示す如く選択還元型触媒１０のＮＨ３吸着許容量が低下するため、ＮＨ３のスリップを生じるのに対し、選択還元型触媒１０が正常である場合には、選択還元型触媒１０のＮＨ３吸着許容量を維持し、ＮＨ３のスリップを生じない。
【００３４】
而して、このように実施の形態の一例によれば、尿素水タンク１４に低濃度の尿素水１７や、水等の尿素水以外のものが誤って補給された場合には、ＮＯｘ浄化率の低下を生じる一方でＮＨ３のスリップを劣化触媒と同程度には生じないので、尿素水タンク１４内に低濃度の尿素水１７または／及び水等の尿素水以外のものが誤って補給されたと判断し、運転者等に知らせることができる。また選択還元型触媒１０に劣化がある場合には、ＮＯｘ浄化率の低下を生じると共にＮＨ３のスリップを生じるので、選択還元型触媒１０に劣化があると判断し、運転者等に知らせることができる。
【００３５】
またＮＯｘ浄化率の低下とＮＨ３のスリップを判断要件として、低濃度の尿素水１７または／及び水等の尿素水以外のものが誤って補給された場合と、選択還元型触媒１０に劣化がある場合とを明確に区別するので、尿素水タンク１４に低濃度の尿素水１７または／及び水等の尿素水以外のものが誤って補給された場合を容易且つ好適に検出することができる。
【００３６】
更に所定期間内のＮＯｘ浄化率の低下のみを判定基準にするような他の方法では、尿素水タンク１４に、誤って低濃度の尿素水１７や水等の尿素水以外のものを少しずつ補給する状況等により、尿素水タンク１４の尿素水１７が徐々に希釈される場合には、低濃度の尿素水１７または／及び水等の尿素水以外のものが誤って補給された事を検出できない可能性あるのに対し、実施の形態の一例によれば、ＮＯｘ浄化率の低下とＮＨ３のスリップを判断要件とするので、尿素水タンク１４の尿素水１７が徐々に希釈される場合であっても、尿素水タンク１４内に低濃度の尿素水１７または／及び水等の尿素水以外のものが誤って補給されたことを容易に検出することができる。
【００３７】
また本形態の一例においては、運転履歴でＮＨ３のスリップを記録し、ＮＯｘ浄化率の低下を検出した際に運転履歴のＮＨ３のスリップの有無を判断すると、ＮＨ３のスリップを適切に判断し得るので、尿素水タンク１４に低濃度の尿素水１７や水等の尿素水以外のものが誤って補給された場合を容易且つ好適に検出することができる。
【００３８】
以下本発明の実施の形態の他例を図面を参照しつつ説明する。
【００３９】
図１、図３、図４は本発明を実施する形態の他例であって排気浄化装置及び還元剤の異常検出方法を示すものである。全体的な構成は一例と同じであり、制御装置２１には図２のフローの代わりに図３のフローに基づいて処理する関数が予め内蔵されている。
【００４０】
以下本発明を実施する形態の他例の作用を説明する。
【００４１】
排気浄化装置により排出ガス７中のＮＯｘの排出濃度を低減する際には、一例と同様に、選択還元型触媒１０の上流側に尿素水（還元剤）１７を尿素水タンク（還元剤タンク）１４から添加し、尿素水１７を選択還元型触媒１０上で排出ガス中のＮＯｘと還元反応させ、ＮＯｘの排出濃度を低減する。その後、尿素水１７の添加により尿素水タンク１４内の尿素水１７が減少した際には、尿素水タンク１４に尿素水１７が適宜補給される。
【００４２】
また尿素水タンク１４に低濃度の尿素水１７や水（尿素水以外のもの）が誤って補給された場合と、選択還元型触媒１０の劣化の場合とを判断する際には、検出信号２２ａ，２３ａ及び検出信号２４ａ，２５ａに基づきＮＯｘ浄化率低下を検出する（ステップＳ２１）。この時ＮＯｘ浄化率の低下は、予め記録した基準ＮＯｘ浄化率（閾値）とを比較し、ＮＯｘ浄化率が基準ＮＯｘ浄化率よりも低いか否かでＮＯｘ浄化率の低下を検出し、ＮＯｘ浄化率が基準ＮＯｘ浄化率よりも低い場合にはＮＯｘ浄化率の低下があると判定し、ＮＯｘ浄化率が基準ＮＯｘ浄化率よりも低くない場合にはＮＯｘ浄化率の低下がないと判定する。ここで図４ではＮＯｘ浄化率の低下を１回目の低下検出として示している。
【００４３】
次にＮＯｘ浄化率の低下を検出した（ステップＳ２１）後には、選択還元型触媒１０を所定温度まで昇温し（ステップＳ２２）、選択還元型触媒１０に吸着した可能性のあるＨＣ（炭化水素）を放出させる。ここで選択還元型触媒１０の昇温する処理は、電熱による電気手段、火炎等により燃焼手段、燃料の添加等でも良く、選択還元型触媒１０を昇温し得るならばその手段は特に制限されるものではない。また昇温の温度や加熱時間はＨＣを放出し得る条件ならば特に制限されるものではない。
【００４４】
続いて選択還元型触媒１０の昇温の後、ＮＨ３のスリップが生じるか否かにより、ＮＨ３のスリップの有無を判断する（ステップＳ２３）。この時ＮＨ３のスリップは、ＮＨ３の濃度が一定値以上になったか否かで判断し、濃度が一定値（閾値）以上の場合には、選択還元型触媒１０より下流側へＮＨ３のスリップがあったと判断して記録し、濃度が一定値（閾値）未満の場合には、選択還元型触媒１０より下流側へＮＨ３のスリップがないと判断する。ここで図４ではＮＨ３スリップの検出を昇温後のＮＨ３スリップとして示している。
【００４５】
ＮＨ３のスリップがあった場合（ステップＳ２３のＹＥＳ）には、再度、検出信号２２ａ，２３ａ及び検出信号２４ａ，２５ａに基づきＮＯｘ浄化率低下を検出する（ステップＳ２４）。この時ＮＯｘ浄化率の低下は、ステップＳ２１と同様な処理で判定し、図４ではＮＯｘ浄化率の低下を２回目の低下検出として示している。ここで２回目の検出はＮＯｘ浄化率の低下を再確認し且つＨＣの吸着がない状態で確認するものであり、１回目の検出のみで選択還元型触媒１０の劣化に伴うＮＯｘ浄化率の低下を確認し得る場合には、ＮＯｘ浄化率の低下を再確認する段階（ステップＳ２４）を不要にしても良い。
【００４６】
ＮＯｘ浄化率の低下を再確認した後には、選択還元型触媒１０の劣化であると判定し（ステップＳ２５）、制御装置２１は表示手段２７に表示信号２７ａを送り、表示手段２７で選択還元型触媒１０に劣化がある警告を発して運転者等に知らせる（ステップＳ２６）。
【００４７】
一方、ＮＨ３のスリップの有無を判断する際に（ステップＳ２３）、ＮＨ３のスリップがない場合（ステップＳ２３のＮＯ）には、同様に再度、検出信号２２ａ，２３ａ及び検出信号２４ａ，２５ａに基づきＮＯｘ浄化率低下を検出する（ステップＳ２７）。この時ＮＯｘ浄化率の低下は、ステップＳ２１と同様な処理で判定し、図４ではＮＯｘ浄化率の低下を２回目の低下検出として示している。ここで２回目の検出はＮＯｘ浄化率の低下を再確認し且つＨＣの吸着がない状態で確認するものであり、１回目の検出のみで選択還元型触媒１０の劣化に伴うＮＯｘ浄化率の低下を確認し得る場合には、ＮＯｘ浄化率の低下を再確認する段階（ステップＳ２７）を不要にしても良い。
【００４８】
ＮＯｘ浄化率の低下を再確認した後には、尿素水１７の異常であるとして、尿素水タンク１４内へ低濃度の尿素水１７または／及び水等の尿素水以外のものが誤って補給されたと判定する（ステップＳ２８）。ここで低濃度の尿素水１７は、尿素水タンク１４内の通常の尿素水１７の濃度を低下させる濃度であれば特定の濃度に制限されるものではなく、また尿素水以外のものは、尿素水タンク１４内の尿素水１７の濃度を低下させるものであれば種類も特に制限されるものではない。
【００４９】
そして制御装置２１は表示手段２６に表示信号２６ａを送り、表示手段２６で尿素水タンク１４に低濃度の尿素水１７等が誤って補給された旨の警告を発して運転者等に知らせる（ステップＳ２９）。
【００５０】
而して、このように実施の形態の他例によれば、一例と同様な作用効果を得ることができる。
【００５１】
また本形態の他例においては、ＮＯｘ浄化率が低下した際に選択還元型触媒１０を昇温し、その後ＮＨ３のスリップの有無を判断すると、選択還元型触媒１０に吸着したＨＣを放出した状態でＮＨ３のスリップの有無を判断するので、浄化率の低下及びＮＨ３のスリップを適確に把握し、よって低濃度の尿素水１７や水等の尿素水以外のものが誤って補給された場合と、選択還元型触媒１０に劣化がある場合とを明確に区別し、尿素水タンク１４に低濃度の尿素水１７や水等の尿素水以外のものが誤って補給された場合を容易且つ好適に検出することができる。
【００５２】
更に本形態の他例においては、ＮＨ３のスリップを判断した後、更に２回目のＮＯｘ浄化率の低下を検出すると、ＮＯｘ浄化率の低下を再確認し、またはＨＣの吸着がない状態で確認し得るので、尿素水タンク１４に低濃度の尿素水１７や水等の尿素水以外のものが誤って補給された場合を容易且つ好適に検出することができる。
【００５３】
尚、本発明の還元剤の異常検出方法は、上述の形態例にのみ限定されるものではなく、選択還元型触媒に添加される還元剤には、軽油等の尿素水以外のものを採用しても良いこと、その他、本発明の要旨を逸脱しない範囲内において種々変更を加え得ることは勿論である。
【符号の説明】
【００５４】
９ 排気管
１０ 選択還元型触
１４ 尿素水タンク（還元剤タンク）
１７ 尿素水（還元剤）
【図１】
2010261327.tif 000003
【図２】
2010261327.tif 000004
【図３】
2010261327.tif 000005
【図４】
2010261327.tif 000006
【図５】
2010261327.tif 000007